(57)【要約】【課題】照明器具の設置場所の広さや形状等に合わせて電源ユニットを本体と一体で使用するか、分離して使用するかを選択可能とする。【解決手段】照明器具１１は、本体１２にＬＥＤ基板を内蔵する。電源ユニット１３が本体１２の凹部１８に収容された状態では、金具１４を凹部１８に取り付けることで、電源ユニット１３を凹部１８に固定する。一方、電源ユニット１３が本体１２の近傍に載置された状態では、金具１４を凹部１８から取り外し、電源ユニット１３を支持する脚部として金具１４を使用する。電源ユニット１３は、本体１２の凹部１８に収容された状態と本体１２の凹部１８に収容されない状態とのいずれにおいても、専用ハーネス２４を介してＬＥＤ基板に電力を供給する。【選択図】図４
2012123979.tif 000002
【特許請求の範囲】
【請求項１】
光を照射する光源ユニットと、
前記光源ユニットとケーブルで接続され、前記ケーブルを介して前記光源ユニットに電力を供給する電源ユニットと、
前記光源ユニットを内蔵する本体であり、前記電源ユニットを着脱自在に収容する凹部を有する本体と
を備え、
前記電源ユニットは、前記本体の凹部に収容された状態と前記本体の凹部に収容されない状態とのいずれにおいても、前記ケーブルを介して前記光源ユニットに電力を供給することを特徴とする照明器具。
【請求項２】
前記電源ユニットは、前記本体の凹部に収容されない状態において、前記本体の近傍に載置され、
前記照明器具は、さらに、
前記電源ユニットが前記本体の凹部に収容された状態において、前記本体の凹部に取り付けられて前記電源ユニットを前記本体の凹部に固定する固定部材であり、前記電源ユニットが前記本体の近傍に載置された状態において、前記本体の凹部から取り外されて前記電源ユニットを支持する脚部として使用される固定部材
を備えることを特徴とする請求項１の照明器具。
【請求項３】
前記照明器具は、天井の埋込穴に埋め込まれて使用される器具であり、
前記電源ユニットは、前記本体の凹部に収容されない状態において、天井部材に載置されることを特徴とする請求項１又は２の照明器具。
【請求項４】
前記電源ユニットは、前記本体の凹部に収容されない状態において、前記本体の側部に設置され、
前記照明器具は、さらに、
前記電源ユニットが前記本体の凹部に収容された状態において、前記本体の凹部に取り付けられて前記電源ユニットを前記本体の凹部に固定する固定部材であり、前記電源ユニットが前記本体の側部に設置された状態において、前記本体の側部に取り付けられて前記電源ユニットを前記本体の側部に固定する固定部材
を備えることを特徴とする請求項１の照明器具。
【発明の詳細な説明】
【技術分野】
【０００１】
本発明は、照明器具に関するものである。
【背景技術】
【０００２】
照明器具の光出力増大に伴い、電源回路基板も大型化していく傾向にあるが、電源回路基板を本体内に少なくとも２枚配置し器具の小型化を図るものがある（例えば、特許文献１参照）。
【先行技術文献】
【特許文献】
【０００３】
【特許文献１】特開２００９−３０１８１０号公報
【発明の概要】
【発明が解決しようとする課題】
【０００４】
しかしながら、電源回路基板を本体に内蔵した場合、電源回路基板の大型化に伴い、器具の高さが高くなる。ダウンライトの場合、照明器具を設置する天井裏の高さが低いと、照明器具が取り付けられない場合があるという課題があった。
【０００５】
本発明は、例えば、照明器具の設置場所の広さや形状等に合わせて電源ユニットを本体と一体で使用するか、分離して使用するかを選択可能とすることを目的とする。
【課題を解決するための手段】
【０００６】
本発明の一の態様に係る照明器具は、
光を照射する光源ユニットと、
前記光源ユニットとケーブルで接続され、前記ケーブルを介して前記光源ユニットに電力を供給する電源ユニットと、
前記光源ユニットを内蔵する本体であり、前記電源ユニットを着脱自在に収容する凹部を有する本体とを備え、
前記電源ユニットは、前記本体の凹部に収容された状態と前記本体の凹部に収容されない状態とのいずれにおいても、前記ケーブルを介して前記光源ユニットに電力を供給する。
【発明の効果】
【０００７】
本発明の一の態様によれば、電源ユニットが、本体の凹部に収容された状態と本体の凹部に収容されない状態とのいずれにおいても光源ユニットに電力を供給することができるため、照明器具の設置場所の広さや形状等に合わせて電源ユニットを本体と一体で使用するか、分離して使用するかが選択可能となる。したがって、ダウンライトの場合、電源回路基板が大型化しても、天井裏の高さに合わせて器具高さを低くすることができる。つまり、照明器具の小型化を図りつつ、電源回路を実装した電源ユニットを分離できる構造にすることで、例えば埋込穴の浅い天井面にも照明器具を取り付けることができる。
【図面の簡単な説明】
【０００８】
【図１】実施の形態１に係る照明器具の電源ユニットを本体内に収容した状態を示す斜視図。
【図２】実施の形態１に係る照明器具の分解斜視図。
【図３】実施の形態１に係る照明器具の電源ユニットの４面図。
【図４】実施の形態１に係る照明器具の電源ユニットを別置にした状態を示す斜視図。
【図５】実施の形態１に係る照明器具の電源ユニットを本体横に取り付けた状態を示す斜視図。
【発明を実施するための形態】
【０００９】
以下、本発明の実施の形態について、図を用いて説明する。
【００１０】
実施の形態１．
図１は、本実施の形態に係る照明器具１１の電源ユニット１３を本体１２の内部に収容した状態を示す斜視図である。図２は、照明器具１１の分解斜視図である。図３は、電源ユニット１３の４面図である。
【００１１】
照明器具１１は、天井の埋込穴に埋め込まれて使用される器具（例えば、ダウンライト）である。照明器具１１は、熱伝導性をもつ筒状の本体１２と、本体１２の中央に取り付けられ、電源回路基板を内蔵した電源ユニット１３と、電源ユニット１３の外面に取り付けられる金具１４と、本体１２及び金具１４を接続するネジ１５と、本体１２に取り付けられる化粧枠１７とを備える。図示していないが、照明器具１１は、さらに、本体１２に取り付けられ、発光素子としてＬＥＤが実装されたＬＥＤ基板と、ＬＥＤ基板を固定する反射部材と、反射部材の前方（ＬＥＤの光の照射方向）に設置された透過性カバーとを備える。
【００１２】
本体１２は、ＬＥＤ基板を内蔵する。本体１２は、例えば、アルミダイカスト製の熱伝導率の高い材料で形成されており、その外面が白色のメラミン樹脂系塗料によって焼付塗装されている。なお、熱伝導性が担保できれば他の材料を使用してもよい。筒状の本体１２の外面には、縦方向に伸びる複数の放熱フィン２３が形成されている。ＬＥＤ基板は本体１２に熱的に結合されているため、これらの放熱フィン２３によって、ＬＥＤ基板に実装されたＬＥＤの熱が放熱される。なお、本実施の形態では、本体１２が略円柱状であるが、直方体状、立方体状、多角柱状、あるいは、その他の形状であってもよい。また、本実施の形態では、放熱フィン２３が８枚設けられているが、放熱フィン２３の枚数はこれに限らない。
【００１３】
本体１２は、電源ユニット１３を着脱自在に収容する凹部１８と、電源ユニット１３が凹部１８に収容されない場合に、電源ユニット１３を取り付け可能な側部１９とを有する。本実施の形態では、８枚ある放熱フィン２３のうち、本体１２の端にある放熱フィン２３から数えて４枚目の放熱フィン２３まで、及び、５枚目の放熱フィン２３から本体１２の別の端にある（即ち、８枚目の）放熱フィン２３までは、互いに略等間隔に配置されている。一方、４枚目の放熱フィン２３と５枚目の放熱フィン２３とは、互いの間隔が広く空けられて凹部１８を形成している。さらに、４枚目の放熱フィン２３と５枚目の放熱フィン２３とは、長手方向の同じ側にある端部が互いに近づく方向に延設されて側部１９を形成している。つまり、本実施の形態では、複数の放熱フィン２３のうち、中央にある２つの放熱フィン２３によって凹部１８と側部１９とが形成されている。なお、凹部１８と側部１９とは、いずれも別の放熱フィン２３あるいは本体１２の別の部分によって形成されていても構わない。例えば、本体１２の上面の略全体に複数（例えば、１２枚）の放熱フィン２３を略等間隔で配置して、いくつか（例えば、１２枚のうち中央にある６枚）の放熱フィン２３に凹部１８を形成するような切り欠きを設けてもよい。また、本体１２の上部に、放熱フィン２３とは別に側部１９を形成するような周壁等を設けてもよい。
【００１４】
図２に示すように、本体１２の凹部１８には、２対のネジ穴１２ｂが設けられている。具体的には、４枚目及び５枚目の放熱フィン２３それぞれの上部にネジ穴１２ｂが２つずつ形成されている。また、本体１２の側部１９には、１対のネジ穴１２ｃが設けられている。具体的には、４枚目及び５枚目の放熱フィン２３それぞれの延設された部分の上部にネジ穴１２ｃが１つずつ形成されている。
【００１５】
電源ユニット１３は、例えば、鋼板により箱状に成形されており、内部に電源回路基板を有する。また、電源ユニット１３は、電源回路基板と内部配線で接続され、外面に設置される端子台１６を有する。
【００１６】
電源ユニット１３の電源回路基板には、制御ＩＣ、トランス、コンデンサ等の部品が実装されている。電源回路基板は、本体１２に内蔵されたＬＥＤ基板と専用ハーネス２４（ケーブル）で電気的に接続されており、専用ハーネス２４を介してＬＥＤ基板に電力を供給してＬＥＤの点灯制御をする。電源ユニット１３の端子台１６は、外部電源から電源回路基板に電源入力をする。
【００１７】
電源ユニット１３は、本体１２に内蔵可能であるとともに、本体１２から分離可能である。図２に示すように、電源ユニット１３の外面の１つ（例えば、正面）には、２箇所にネジ穴１３ａが設けられている。この面にはネジ１５によって金具１４が固定される。本実施の形態では、金具１４及びネジ１５を固定部材として用いることで、電源ユニット１３を本体１２に取り付け可能であるとともに、電源ユニット１３を天井面裏側に設置可能である。電源ユニット１３を金具１４によって本体１２に取り付けた場合には、照明器具１１を小型化することができる。なお、電源ユニット１３の外面のうち、例えば正面だけでなく、背面等にもネジ穴１３ａを設けることができる。この場合、電源ユニット１３のどの面に金具１４を取り付けるかを選択できるため、電源ユニット１３を本体１２に取り付ける向きを状況に応じて決めることができる。
【００１８】
図２に示すように、金具１４には、電源ユニット１３のネジ穴１３ａに対応する貫通孔１４ａと、本体１２の凹部１８のネジ穴１２ｂに対応する貫通孔１４ｂと、本体１２の側部１９のネジ穴１２ｃに対応する貫通孔１４ｃとが設けられている。金具１４は、例えば、１つの貫通孔１４ａ、１つの貫通孔１４ｂ、２つの貫通孔１４ｃが一端から他端に向かって順番に設けられた１枚の板状部材を折り曲げ加工等したものである。このとき、板状部材の貫通孔１４ａが設けられた部分と貫通孔１４ｂが設けられた部分との間が折れ曲がり、当該２つの部分の板面同士が略垂直になっている。そして、これとは逆側に、板状部材の貫通孔１４ｂが設けられた部分と貫通孔１４ｃが設けられた部分との間が折れ曲がり、当該２つの部分の板面同士が略垂直になっている。つまり、板状部材が２つの段からなる階段状に折れ曲がっており、１つの段を形成する水平面（板）と垂直面（板）とには、順番に貫通孔１４ａと貫通孔１４ｂとがあり、もう１つの段を形成する水平面（板）には貫通孔１４ｃがある。
【００１９】
ネジ１５（２本）は、左右１対の金具１４それぞれの貫通孔１４ａに通されて電源ユニット１３のネジ穴１３ａに螺入される。これにより、電源ユニット１３に金具１４をネジ止めして固定することができる。同時に、ネジ１５（別の２本）は、左右１対の金具１４それぞれの貫通孔１４ｂに通されて本体１２の凹部１８のネジ穴１２ｂに螺入される。これにより、本体１２の凹部１８の内部に電源ユニット１３をネジ止めして固定することができる。あるいは、後述するように、ネジ１５（別の２本）は、左右１対の金具１４いずれかの貫通孔１４ｃに通されて本体１２の側部１９のネジ穴１２ｃに螺入される場合もある。この場合、本体１２の側部１９（凹部１８の外部）に電源ユニット１３をネジ止めして固定することができる。なお、電源ユニット１３を本体１２の凹部１８や側部１９に固定するための固定部材として、金具１４とネジ１５との組み合わせの代わりに、嵌合可能な部材の組み合わせ、係止可能な部材の組み合わせ、あるいは、その他の部材を用いても構わない。
【００２０】
化粧枠１７は、例えば、ＡＢＳ（アクリロニトリル・ブタジエン・スチレン）樹脂で略傘状に形成され、末広がり状の開口端部には、環状のフランジ１７ａが形成されており、他端部側は、本体１２に取り付けられている。加えて、外周面には、天井に照明器具１１を固定するための１対の取り付け用板ばね２２が装着されている。
【００２１】
図示していないが、ＬＥＤ基板の表面側には、光源となるＬＥＤが表面実装方式で複数個実装されており、ＬＥＤにより光を照射する。ＬＥＤ基板は、例えば、絶縁材又は金属の略円形の平板からなり、本体１２の底壁へ密着するように取り付けられている。したがって、本体１２と熱的に結合されるようになっている。なお、この本体１２の底壁とＬＥＤ基板の裏面側との間に接着材を介在させ結合するようにしてもよい。この場合、接着材には、シリコーン樹脂系の接着材に金属酸化物等を混合した熱伝導性が良好な材料を用いるのがよい。ここでいう接着材は、本体１２の底壁及びＬＥＤ基板に密着するものであればよく、単なるシート状部材や硬化樹脂等であってもよい。また、ＬＥＤ基板の材料を絶縁材とする場合には、放熱特性が比較的良好で、耐久性に優れたセラミック材料又は合成樹脂材料を用いることが望ましい。合成樹脂材料を用いる場合には、例えば、ガラスエポキシ樹脂等で形成できる。また、金属製とする場合は、アルミニウム等の熱伝導性が良好で放熱性に優れた材料を用いることが望ましい。なお、光を照射する光源ユニットとして、ＬＥＤ基板の代わりに、白熱灯、蛍光灯、ＥＬ（エレクトロルミネセンス）、あるいは、その他の光源により光を照射するものを用いても構わない。
【００２２】
ＬＥＤ基板の表面側には、例えば、白色のポリカーボネートやＡＳＡ（アクリロニトリル・スチレン・アクリル酸エステル）樹脂等によって形成された反射部材が配設されている。反射部材は、ＬＥＤから放射される光を配光制御し、効率的に照射する機能をもっている。
【００２３】
透過性カバーは、白色、半透明、拡散性を有する材料、又は、透明な材料（樹脂やガラス）で形成されている。
【００２４】
図４は、照明器具１１の電源ユニット１３を別置にした状態を示す斜視図である。
【００２５】
電源ユニット１３は、本体１２から外すことができ、金具１４を電源ユニット１３の脚として、本体１２の近傍に設置することができる。つまり、電源ユニット１３は、本体１２の凹部１８に収容されない状態において、天井部材の上で本体１２の近傍に載置することができる。電源ユニット１３は、本体１２の凹部１８に収容された状態と本体１２の凹部１８に収容されない状態とのいずれにおいても、専用ハーネス２４を介してＬＥＤ基板に電力を供給する。このため、電源ユニット１３を本体１２から取り外した状態でも、照明器具１１が使用可能である。
【００２６】
図１に示す状態、即ち、電源ユニット１３が本体１２の凹部１８に収容された状態では、金具１４を凹部１８に取り付け、金具１４の貫通孔１４ｂに通したネジ１５を凹部１８のネジ穴１２ｂに止めることで、電源ユニット１３を凹部１８に固定することができる。一方、図４に示す状態、即ち、電源ユニット１３が本体１２の近傍に載置された状態では、金具１４を凹部１８から取り外し、電源ユニット１３を支持する脚部として金具１４を使用することができる。
【００２７】
このように、本実施の形態によれば、照明器具１１の設置場所の広さや形状等に合わせて電源ユニット１３を本体１２と一体で使用するか、分離して使用するかが選択可能となる。なお、照明器具１１が天井の埋込穴に埋め込まれて使用されるものでなくても、同様の構成を採用することで、同様の効果が得られる。
【００２８】
図５は、照明器具１１の電源ユニット１３を本体１２の横（側部１９）に取り付けた状態を示す斜視図である。
【００２９】
電源ユニット１３は、本体１２から外すことができ、専用ハーネス２４が出ている側に取り付けられた金具１４をネジ１５で、本体１２の側部１９のネジ穴１２ｃに取り付けることができる。つまり、電源ユニット１３は、本体１２の凹部１８に収容されない状態において、本体１２の側部１９に設置することができる。前述したように、電源ユニット１３は、本体１２の凹部１８に収容された状態と本体１２の凹部１８に収容されない状態とのいずれにおいても、専用ハーネス２４を介してＬＥＤ基板に電力を供給する。このため、電源ユニット１３を本体１２の内側（凹部１８）ではなく外側（側部１９）に取り付けた状態でも、照明器具１１が使用可能である。
【００３０】
図１に示す状態、即ち、電源ユニット１３が本体１２の凹部１８に収容された状態では、金具１４を凹部１８に取り付け、金具１４の貫通孔１４ｂに通したネジ１５を凹部１８のネジ穴１２ｂに止めることで、電源ユニット１３を凹部１８に固定することができる。一方、図５に示す状態、即ち、電源ユニット１３が本体１２の側部１９に設置された状態では、金具１４を凹部１８から取り外し、金具１４（左右いずれか一方）を側部１９に取り付け、金具１４の貫通孔１４ｃに通したネジ１５を側部１９のネジ穴１２ｃに止めることで、電源ユニット１３を側部１９に固定することができる。
【００３１】
このように、本実施の形態によれば、照明器具１１の設置場所の広さや形状等に合わせて電源ユニット１３を本体１２の内側に取り付けるか、外側に取り付けるかが選択可能となる。なお、照明器具１１が天井の埋込穴に埋め込まれて使用されるものでなくても、同様の構成を採用することで、同様の効果が得られる。
【符号の説明】
【００３２】
１１  照明器具、１２  本体、１２ｂ，１２ｃ  ネジ穴、１３  電源ユニット、１３ａ  ネジ穴、１４  金具、１４ａ，１４ｂ，１４ｃ  貫通孔、１５  ネジ、１６  端子台、１７  化粧枠、１７ａ  フランジ、１８  凹部、１９  側部、２２  取り付け用板ばね、２３  放熱フィン、２４  専用ハーネス。
【図１】
2012123979.tif 000003
【図２】
2012123979.tif 000004
【図３】
2012123979.tif 000005
【図４】
2012123979.tif 000006
【図５】
2012123979.tif 000007